(57)【要約】【課題】  アドレス期間において温度に影響されずに安定してアドレス電極及びスキャン電極間で放電を起こさせることができるプラズマディスプレイ装置を提供することを課題とする。【解決手段】  温度を検出する温度検出部（４０）と、アドレス期間内に選択のためのスキャンパルスが印加されるスキャン電極（Ｙ１）と、表示セルの発光又は非発光を選択するためにスキャンパルスに対応してアドレスパルスが印加されるアドレス電極（Ａ１）と、検出された温度に応じてスキャン電極に電圧を供給するスキャン電極駆動回路（５）とを有するプラズマディスプレイ装置が提供される。スキャン電極駆動回路は、スキャンパルスの振幅を変化させず、アドレス期間内においてスキャンパルスを印加しないときのスキャン電極の電圧を検出された温度に応じて変化させる。【選択図】        図１
2006276381.tif 000002
【特許請求の範囲】
【請求項１】
温度を検出する温度検出部と、
アドレス期間内に選択のためのスキャンパルスが印加されるスキャン電極と、
表示セルの発光又は非発光を選択するために前記スキャンパルスに対応してアドレスパルスが印加されるアドレス電極と、
前記検出された温度に応じて前記スキャン電極に電圧を供給するスキャン電極駆動回路とを有し、
前記スキャン電極駆動回路は、前記スキャンパルスの振幅を変化させず、前記アドレス期間内において前記スキャンパルスを印加しないときの前記スキャン電極の電圧を前記検出された温度に応じて変化させるプラズマディスプレイ装置。
【請求項２】
前記アドレス期間内において前記スキャンパルスを印加しないときの前記スキャン電極の電圧は、前記検出された温度が所定値よりも高いときには所定値よりも低いときよりも高い請求項１記載のプラズマディスプレイ装置。
【請求項３】
前記アドレス期間内において前記スキャンパルスを印加しないときの前記スキャン電極の電圧は、前記検出された温度が高くなるに従って高くなるように連続的に変化する請求項２記載のプラズマディスプレイ装置。
【請求項４】
前記アドレス期間内において前記スキャンパルスを印加しないときの前記スキャン電極の電圧は、前記検出された温度が高くなるに従って高くなるように段階的に変化する請求項２記載のプラズマディスプレイ装置。
【請求項５】
前記スキャン電極は複数存在し、
前記アドレス期間は、奇数番目のスキャン電極に順次スキャンパルスを印加するための第１のアドレス期間と偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は前記スキャンパルスを印加しないときの前記奇数番目のスキャン電極の電圧以上になり、
前記第２のアドレス期間では、前記スキャンパルスを印加しないときの前記偶数番目のスキャン電極の電圧は前記検出された温度に応じて変化し、前記奇数番目のスキャン電極の電圧は前記スキャンパルスを印加しないときの前記偶数番目のスキャン電極の電圧以上になる請求項１記載のプラズマディスプレイ装置。
【請求項６】
前記スキャン電極は複数存在し、
さらに、前記複数のスキャン電極に対して交互に配置される複数のＸ電極を有し、
前記スキャン電極は、その両隣のＸ電極との間でサステイン放電が可能である請求項１記載のプラズマディスプレイ装置。
【請求項７】
前記スキャン電極駆動回路は、前記アドレス期間の後のサステイン期間において交互に正負極性のサステイン電圧が反転するサステインパルスを前記スキャン電極に供給する請求項１記載のプラズマディスプレイ装置。
【請求項８】
前記アドレス期間内において前記スキャンパルスを印加しないときの前記スキャン電極の電圧は、前記検出された温度が所定値よりも高いときには０Ｖ、所定値よりも低いときには負電圧である請求項２記載のプラズマディスプレイ装置。
【請求項９】
前記アドレス期間は、奇数番目のスキャン電極に順次スキャンパルスを印加するための第１のアドレス期間とその後に偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は０Ｖ以上前記正のサステイン電圧以下になり、
前記第２のアドレス期間では、前記スキャンパルスを印加しないときの前記偶数番目のスキャン電極の電圧は前記検出された温度に応じて変化し、前記奇数番目のスキャン電極の電圧は０Ｖになる請求項７記載のプラズマディスプレイ装置。
【請求項１０】
アドレス期間内に選択のためのスキャンパルスが印加されるスキャン電極と、表示セルの発光又は非発光を選択するために前記スキャンパルスに対応してアドレスパルスが印加されるアドレス電極とを有するプラズマディスプレイ装置の駆動方法であって、
温度を検出する温度検出ステップと、
前記スキャンパルスの振幅を変化させず、前記アドレス期間内において前記スキャンパルスを印加しないときの前記スキャン電極の電圧を前記検出された温度に応じて変化させる第１のスキャン電極電圧生成ステップと
を有するプラズマディスプレイ装置の駆動方法。
【発明の詳細な説明】
【技術分野】
【０００１】
本発明は、プラズマディスプレイ装置及びその駆動方法に関する。
【背景技術】
【０００２】
図４はプラズマディスプレイ装置の１フィールドの動作例を示すタイミングチャート、図６はプラズマディスプレイ装置のＹ駆動回路の構成例を示す回路図である。図６のＹ駆動回路は、スキャン電極（以下Ｙ電極という）Ｙ１の電圧を生成する。Ｙ電極Ｙ２を生成する回路も同様の構成を有する。パネル容量Ｃｐは、例えばＸ電極Ｘ１及びＹ電極Ｙ１により構成される。リセット期間Ｔｒでは、リセットパルスにより表示セルのリセットを行う。Ｙ電極Ｙ１，Ｙ２の電圧は、電圧Ｖｓ、Ｖｐ及び−Ｖｎにより生成される。前半アドレス期間Ｔａ１では、奇数番目のＹ電極Ｙ１のアドレス選択が行われる。後半アドレス期間Ｔａ２では、偶数番目のＹ電極Ｙ２のアドレス選択が行われる。アドレス期間Ｔａ１及びＴａ２の詳細は、後に図７を参照しながら説明する。サステイン期間Ｔｓでは、Ｙ電極Ｙ１，Ｙ２にサステインパルスを印加する。サステインパルスは、正電圧Ｖｓ及びグランドＧＮＤにより生成される。このサステインパルスにより、Ｘ電極Ｘ１及びＹ電極Ｙ１間、並びにＸ電極Ｘ２及びＹ電極Ｙ２間でサステイン放電を行うことができる。
【０００３】
図７は、アドレス期間Ｔａ１及びＴａ２におけるＹ電極Ｙの電圧の生成方法を説明するためのタイミングチャートである。Ｙ電極Ｙは、Ｙ電極Ｙ１又はＹ２に対応する。
【０００４】
タイミングｔ１の前では、スイッチＳＷ１，ＳＷ３，ＳＷ５，ＳＷ６，ＳＷ７，ＳＷ９，ＳＷ１０，ＳＷ１１をオフにし、スイッチＳＷ２，ＳＷ４，ＳＷ８，ＳＷ１２，ＳＷ１３をオンにする。すると、Ｙ電極Ｙは、０Ｖ（グランドＧＮＤ）になる。
【０００５】
次に、タイミングｔ１では、スイッチＳＷ２，ＳＷ４，ＳＷ８，ＳＷ１２をオフ、スイッチＳＷ７，ＳＷ９，ＳＷ１０をオンにする。すると、Ｙ電極Ｙは、電圧−Ｖ２になる。
【０００６】
次に、タイミングｔ２では、スイッチＳＷ１０をオフ、スイッチＳＷ１１をオンにする。すると、Ｙ電極Ｙは、電圧−Ｖ１になる。この電圧−Ｖ１のパルスがスキャンパルスである。スキャンパルスの振幅電圧Ｖ３は、Ｖ１−Ｖ２である。このスキャンパルス印加時に、アドレス電極Ａに電圧Ｖ４のアドレスパルスが印加されれば、Ｙ電極Ｙ及びアドレス電極Ａ間で放電が生じ、そのＹ電極Ｙで構成される表示セルの点灯が選択される。
【０００７】
次に、タイミングｔ３では、スイッチＳＷ１０をオン、スイッチＳＷ１１をオフにする。すると、Ｙ電極Ｙは、電圧−Ｖ２になる。
【０００８】
次に、タイミングｔ４では、スイッチＳＷ２，ＳＷ４，ＳＷ８，ＳＷ１２をオン、スイッチＳＷ７，ＳＷ９，ＳＷ１０をオフにする。すると、Ｙ電極Ｙは、０Ｖになる。
【０００９】
以上のように、アドレス期間ｔ１〜ｔ４において、Ｙ電極Ｙは、スキャンパルス印加時はスキャン電圧−Ｖ１、スキャンパルスが印加されないときには非スキャン電圧−Ｖ２になる。
【００１０】
図５は他のプラズマディスプレイ装置の１フィールドの動作例を示すタイミングチャート、図８はそのプラズマディスプレイ装置のＹ駆動回路の構成例を示す回路図である。図８のＹ駆動回路は、Ｙ電極Ｙ１の電圧を生成する。Ｙ電極Ｙ２を生成する回路も同様の構成を有する。パネル容量Ｃｐは、例えば、Ｘ電極Ｘ１及びＹ電極Ｙ１により構成される。リセット期間Ｔｒでは、リセットパルスにより表示セルのリセットを行う。Ｙ電極Ｙ１，Ｙ２の電圧は、電圧Ｖｓ、Ｖｐ及び−Ｖｓにより生成される。前半アドレス期間Ｔａ１では、奇数番目のＹ電極Ｙ１のアドレス選択が行われる。後半アドレス期間Ｔａ２では、偶数番目のＹ電極Ｙ２のアドレス選択が行われる。アドレス期間Ｔａ１及びＴａ２の詳細は、後に図９を参照しながら説明する。サステイン期間Ｔｓでは、Ｙ電極Ｙ１，Ｙ２にサステインパルスを印加する。サステインパルスは、正電圧Ｖｓ及び負電圧−Ｖｓにより生成される。このサステインパルスにより、Ｘ電極Ｘ１及びＹ電極Ｙ１間、並びにＸ電極Ｘ２及びＹ電極Ｙ２間でサステイン放電を行うことができる。
【００１１】
図９は、アドレス期間Ｔａ１及びＴａ２におけるＹ電極Ｙの電圧の生成方法を説明するためのタイミングチャートである。Ｙ電極Ｙは、Ｙ電極Ｙ１又はＹ２に対応する。
【００１２】
タイミングｔ１の前では、スイッチＳＷ１，ＳＷ２，ＳＷ３，ＳＷ４，ＳＷ５，ＳＷ７をオフにし、スイッチＳＷ６，ＳＷ８，ＳＷ９をオンにする。すると、Ｙ電極Ｙは、０Ｖになる。
【００１３】
次に、タイミングｔ１では、スイッチＳＷ４，ＳＷ５をオン、スイッチＳＷ６，ＳＷ８，ＳＷ９をオフにする。すると、Ｙ電極Ｙは、電圧−Ｖ２になる。
【００１４】
次に、タイミングｔ２では、スイッチＳＷ５をオフ、スイッチＳＷ６をオンにする。すると、Ｙ電極Ｙは、電圧−Ｖ１になる。この電圧−Ｖ１のパルスがスキャンパルスである。スキャンパルスの振幅電圧Ｖｓは、Ｖ１−Ｖ２である。このスキャンパルス印加時に、アドレス電極Ａに電圧Ｖ４のアドレスパルスが印加されれば、Ｙ電極Ｙ及びアドレス電極Ａ間で放電が生じ、そのＹ電極Ｙで構成される表示セルの点灯が選択される。
【００１５】
次に、タイミングｔ３では、スイッチＳＷ５をオン、スイッチＳＷ６をオフにする。すると、Ｙ電極Ｙは、電圧−Ｖ２になる。
【００１６】
次に、タイミングｔ４では、スイッチＳＷ４，ＳＷ５をオフ、スイッチＳＷ６，ＳＷ８，ＳＷ９をオンにする。すると、Ｙ電極Ｙは、０Ｖになる。
【００１７】
以上のように、アドレス期間ｔ１〜ｔ４において、Ｙ電極Ｙは、スキャンパルス印加時はスキャン電圧−Ｖ１、スキャンパルスが印加されないときには非スキャン電圧−Ｖ２になる。
【００１８】
また、下記の特許文献１には、動作環境の変化の影響が小さいアドレッシングを実現し、表示の安定を図るプラズマディスプレイパネルの駆動方法及び駆動装置が記載されている。
【００１９】
【特許文献１】特開２００２−２９７０９０号公報
【発明の開示】
【発明が解決しようとする課題】
【００２０】
図１０はアドレス期間Ｔａ１，Ｔａ２における先頭（最上）ラインのＹ電極Ｙ１及びアドレス電極Ａの電圧波形を示す図、図１１はアドレス期間Ｔａ１，Ｔａ２における最終（最下）ラインのＹ電極Ｙｎ及びアドレス電極Ａの電圧波形を示す図である。Ｙ電極Ｙ１，Ｙ２，・・・，Ｙｎには、電圧−Ｖ１のスキャンパルスが順次印加される。２次元画像は、複数のラインで構成される。Ｙ電極Ｙ１は、先頭ラインのＹ電極であり、スキャンパルスが最初に印加される。Ｙ電極Ｙｎは、最終ラインのＹ電極であり、スキャンパルスが最後に印加される。
【００２１】
図１０において、アドレス期間Ｔａ１，Ｔａ２の前のリセット期間Ｔｓにおけるリセットパルスによりアドレス電極Ａ上には正壁電荷が蓄積されている。これにより、先頭ラインのＹ電極Ｙ１にスキャンパルスが印加されたときに、アドレス電極Ａが低いアドレス電圧Ｖ４であっても、Ｙ電極Ｙ１及びアドレス電極Ａ間で放電を起こさせることができる。ここで、アドレス電極Ａは、アドレス期間中は常にアドレス電圧Ｖ４が印加されており、すべてのＹ電極Ｙ１〜Ｙｎとの間で放電を起こすことになる。例えば、垂直方向の画素すべてを表示する場合である。
【００２２】
図１１において、最終ラインのＹ電極Ｙｎは、自己にスキャンパルスが印加されるまでの間は、常にアドレス電極Ａとの間で電位差Ｖ４＋Ｖ２が印加されている。このため、特に高温時ではアドレス電極ＡからＹ電極Ｙｎに微小な正電荷移動が起こり、Ｙ電極Ｙｎにスキャンパルスが印加される時にはアドレス電極Ａ及びＹ電極Ｙｎ間の放電に必要なアドレス電極Ａ上の正壁電荷が減少してしまい、アドレス電極Ａ及びＹ電極Ｙｎ間で放電を起こすことができなくなってしまう。これでは、アドレス選択が行われず、最終ラインは表示されなくなってしまう。
【００２３】
本発明の目的は、アドレス期間において温度に影響されずに安定してアドレス電極及びスキャン電極間で放電を起こさせることができるプラズマディスプレイ装置及びその駆動方法を提供することである。
【課題を解決するための手段】
【００２４】
本発明の一観点によれば、温度を検出する温度検出部と、アドレス期間内に選択のためのスキャンパルスが印加されるスキャン電極と、表示セルの発光又は非発光を選択するためにスキャンパルスに対応してアドレスパルスが印加されるアドレス電極と、検出された温度に応じてスキャン電極に電圧を供給するスキャン電極駆動回路とを有するプラズマディスプレイ装置が提供される。スキャン電極駆動回路は、スキャンパルスの振幅を変化させず、アドレス期間内においてスキャンパルスを印加しないときのスキャン電極の電圧を検出された温度に応じて変化させる。
【発明の効果】
【００２５】
検出された温度に応じてスキャン電極の電圧を変化させるので、アドレス期間において温度に影響されずに安定してアドレス電極及びスキャン電極間で放電を起こさせることができる。これにより、高温時に、垂直方向のすべての画素を表示する場合に、最下部の画素を安定して表示することができる。
【発明を実施するための最良の形態】
【００２６】
（第１の実施形態）
図１は、本発明の第１の実施形態によるプラズマディスプレイ装置の構成例を示す図である。制御回路７は、温度検出部４０を有し、Ｘ駆動回路４、Ｙ駆動回路５及びアドレス駆動回路６を制御する。温度検出部４０は、例えばサーミスタ等であり、温度を検出する。温度検出部４０の設置位置及び数は限定されない。制御回路７は、検出された温度に応じてＹ駆動回路５を制御する。
【００２７】
Ｘ駆動回路４は、複数のＸ電極Ｘ１，Ｘ２，・・・，Ｘｎに所定の電圧を供給する。以下、Ｘ電極Ｘ１，Ｘ２，・・・，Ｘｎの各々を又はそれらの総称を、Ｘ電極Ｘｉといい、ｉは添え字を意味する。Ｙ駆動回路５は、複数のスキャン電極（以下、Ｙ電極という）Ｙ１，Ｙ２，・・・，Ｙｎに所定の電圧を供給する。以下、Ｙ電極Ｙ１，Ｙ２，・・・，Ｙｎの各々を又はそれらの総称を、Ｙ電極Ｙｉといい、ｉは添え字を意味する。アドレス駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【００２８】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、パネル３は２次元画像を表示することができる。
【００２９】
図２は、本実施形態によるプラズマディスプレイパネル３の構造例を示す分解斜視図である。Ｘ電極１１は図１のＸ電極Ｘｉに対応し、Ｙ電極１２は図１のＹ電極Ｙｉに対応し、アドレス電極１５は図１のアドレス電極Ａｊに対応する。
【００３０】
Ｘ電極１１及びＹ電極１２は、前面ガラス基板１上に形成されている。その上には、放電空間に対し絶縁するための誘電体層１３が被着されている。さらにその上には、ＭｇＯ（酸化マグネシウム）保護層１４が被着されている。一方、アドレス電極１５は、前面ガラス基板１と対向して配置された背面ガラス基板２上に形成される。その上には、誘電体層１６が被着される。更にその上には、蛍光体１８〜２０が被着されている。リブ（隔壁）１７の内面には、赤、青、緑色の蛍光体１８〜２０がストライプ状に各色毎に配列、塗付されている。Ｘ電極１１及びＹ電極１２の間の放電によって蛍光体１８〜２０を励起して各色が発光する。前面ガラス基板１及び背面ガラス基板２との間の放電空間には、Ｎｅ＋Ｘｅペニングガス等が封入されている。
【００３１】
図３は、本実施形態による各フィールドの構成例を示す概念図である。画像は、例えば６０フィールド／秒で形成される。１フィールドは、例えば、第１のサブフィールド２１、第２のサブフィールド２２、・・・、第１０のサブフィールド３０により形成される。各サブフィールド２１〜３０は、リセット期間Ｔｒ、アドレス期間Ｔａ及びサステイン（維持放電）期間Ｔｓにより構成される。
【００３２】
リセット期間Ｔｒでは、Ｘ電極Ｘｉ及びＹ電極Ｙｉに所定の電圧を印加して、表示セルＣｉｊの初期化を行う。
【００３３】
アドレス期間Ｔａは、図４及び図５のアドレス期間Ｔａ１，Ｔａ２に対応する。アドレス期間Ｔａでは、Ｙ電極Ｙ１，Ｙ２，・・・，Ｙｎに対してスキャンパルスを順次スキャンして印加し、そのスキャンパルスに対応してアドレスパルスをアドレス電極Ａｊに印加することにより表示セルＣｉｊの発光を選択する。Ｙ電極Ｙｉのスキャンパルスに対応してアドレス電極Ａｊのアドレスパルスが生成されれば、そのＹ電極Ｙｉ及びＸ電極Ｘｉの表示セルＣｉｊの発光が選択される。Ｙ電極Ｙｉのスキャンパルスに対応してアドレス電極Ａｊのアドレスパルスが生成されなければ、そのＹ電極Ｙｉ及びＸ電極Ｘｉの表示セルＣｉｊの発光が選択されず、非発光が選択される。スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。
【００３４】
サステイン期間Ｔｓでは、Ｘ電極Ｘｉ及びＹ電極Ｙｉ間に互いに逆相のサステインパルスが印加され、選択された表示セルのＸ電極Ｘｉ及びＹ電極Ｙｉ間でサステイン放電を行い、発光を行う。図３の各サブフィールド２１〜３０では、Ｘ電極Ｘｉ及びＹ電極Ｙｉ間のサステインパルス数（サステイン期間Ｔｓの長さ）に対応する発光回数が異なる。これにより、階調値を決めることができる。
【００３５】
図１及び図２に示すように、本実施形態は、ＡＬＩＳ方式のプラズマディスプレイ装置に適用することができる。複数のＸ電極及び複数のＹ電極は交互に配置される。ＡＬＩＳ方式では、Ｙ電極は、その両隣のＸ電極との間でサステイン放電することができる。例えば、Ｙ電極Ｙ１は、一方に隣接するＸ電極Ｘ１との間で第１の表示セルを構成し、他方に隣接するＸ電極Ｘ２との間で第２の表示セルを構成することができる。第１の表示セルは、Ｘ電極Ｘ１及びＹ電極Ｙ１間でサステイン放電を行う。第２の表示セルは、Ｙ電極Ｙ１及びＸ電極Ｘ２間でサステイン放電を行う。
【００３６】
上記において、図１０及び図１１を参照しながら説明したように、低温時には図１０及び図１１のようなＹ電極Ｙ１〜Ｙｎの電圧を印加しても問題はない。しかし、高温時には、図１０及び図１１のようなＹ電極Ｙ１〜Ｙｎの電圧では上記の問題が生ずる。
【００３７】
図１２は、本実施形態によるアドレス期間Ｔａにおける高温時の最終ラインのＹ電極Ｙｎ及びアドレス電極Ａの電圧波形を示す図である。Ｙ電極Ｙ１，Ｙ２，・・・，Ｙｎには、スキャン電圧−Ｖ１が−Ｖ３であるスキャンパルスが順次印加される。２次元画像は、複数のラインで構成される。Ｙ電極Ｙ１は、先頭（最上）ラインのＹ電極であり、スキャンパルスが最初に印加される。Ｙ電極Ｙｎは、最終（最下）ラインのＹ電極であり、スキャンパルスが最後に印加される。アドレス期間Ｔａにおいて、Ｙ電極Ｙｎは、スキャンパルス印加時はスキャン電圧−Ｖ１が電圧−Ｖ３、スキャンパルスが印加されないときには非スキャン電圧が０Ｖである。
【００３８】
Ｙ電極Ｙｎにスキャンパルスが印加されたときに、アドレス電極Ａにアドレス電圧Ｖ４のアドレスパルスが印加されると、Ｙ電極Ｙｎ及びアドレス電極Ａ間で放電を起こさせることができる。ここで、アドレス電極Ａは、アドレス期間Ｔａ中は常にアドレス電圧Ｖ４が印加されており、すべてのＹ電極Ｙ１〜Ｙｎとの間で放電を起こすことになる。例えば、垂直方向の画素すべてを表示する場合である。
【００３９】
高温時には、非スキャン電圧が０Ｖである点に特徴がある。非スキャン電圧が０Ｖであるため、その時のアドレス電極Ａ及びＹ電極Ｙｎ間の電位差はＶ４＋０と低い。アドレス期間Ｔａの前のリセット期間Ｔｒでは、リセットパルスによりアドレス電極Ａ上に正電荷が形成される。Ｙ電極Ｙｎは、スキャンパルスが印加されるまでの間、アドレス電極Ａとの間で低い電圧Ｖ４が印加されるので、アドレス電極Ａ上の正電荷は放電しないで維持される。最終ラインのＹ電極Ｙｎにスキャンパルスが印加される時でも、アドレス電極Ａ上の正電荷は減少しておらず、Ｙ電極Ｙｎはスキャンパルスによりアドレス電極Ａとの間で安定したアドレス放電を行うことができる。
【００４０】
高温時は、アドレス電極Ａ及びＹ電極Ｙ間のアドレス放電がしやすくなるため、スキャン電圧−Ｖ１の絶対値は低温時ほど大きくする必要はなく、｜−Ｖ３｜で十分である。これに対し、低温時にはアドレス放電がし難いため、図１０及び図１１に示すようにスキャン電圧−Ｖ１の絶対値は大きくする必要があり、｜−Ｖ２−Ｖ３｜である。
【００４１】
高温時には、むしろ負の非スキャン電圧が低いと例えスキャン電圧−Ｖ１の絶対値が大きくても、図１１に示したようなミスアドレスが発生する。そこで、図１の温度検出部４０がパネル３の温度又は環境温度を検出する。高温時には、図１２のＹ電極の電圧（非スキャン電圧が０Ｖ）を生成し、低温時には図１０及び図１１のＹ電極の電圧（非スキャン電圧が−Ｖ２）を生成する。これにより、温度に影響されずに安定したアドレス放電を行うことができる。
【００４２】
スキャンパルスの振幅電圧Ｖ３は、温度にかかわらずに一定である。これにより、Ｙ駆動回路は、電圧Ｖ３の耐圧を備えればよく、耐圧を低くし、コストを低減することができる。また、低温時には放電が起きにくいので、低温時に図１２の電圧を供給すると、アドレス電極Ａ及びＹ電極Ｙｎ間の電位差Ｖ４＋Ｖ３では十分なアドレス放電を起こすことができない。したがって、温度に応じて、電圧を変化させる必要がある。
【００４３】
図１３（Ａ）は本実施形態によるアドレス期間Ｔａにおける低温時の最終ラインのＹ電極Ｙｎ及びアドレス電極Ａの電圧波形を示す図である。低温時は、例えば０度であり、図１３（Ａ）の電圧を生成する。この電圧は、図１０及び図１１の電圧と同じである。
【００４４】
図１３（Ｂ）は本実施形態によるアドレス期間Ｔａにおける高温時の最終ラインのＹ電極Ｙｎ及びアドレス電極Ａの電圧波形を示す図である。高温時は、例えば５０度であり、図１３（Ｂ）の電圧を生成する。この電圧は、図１２の電圧と同じである。
【００４５】
制御回路７は、温度検出部４０により温度を検出する。Ｙ駆動回路５は、制御回路７の制御の下、検出された温度に応じてＹ電極に電圧を供給する。具体的には、Ｙ駆動回路５は、スキャンパルスの振幅を変化させず、アドレス期間Ｔａ内においてスキャンパルスを印加しないときのＹ電極の電圧を検出された温度に応じて変化させる。
【００４６】
以下、アドレス期間Ｔａ内においてスキャンパルスを印加しないときのＹ電極の電圧を、非スキャン電圧という。スキャンパルスは、スキャン電圧−Ｖ１により形成される。非スキャン電圧は、検出された温度が所定値よりも高いときには図１３（Ｂ）のように高い電圧０Ｖであり、所定値よりも低いときには図１３（Ａ）のように低い負電圧−Ｖ２である。非スキャン電圧は、０Ｖ以下−３０Ｖ以上の範囲で変化するのが好ましい。
【００４７】
Ｙ電極Ｙｎの電圧のみを示すが、他のＹ電極Ｙ１〜Ｙｎ−１の電圧は、上記で図１０及び図１１を参照しながら説明したように、Ｙ電極Ｙｎの電圧に対して、スキャンパルスの時間的位置のみが異なり、その他の部分は同じである。
【００４８】
（第２の実施形態）
図１４（Ａ）は本発明の第２の実施形態によるアドレス期間Ｔａにおける低温時の最終ラインのＹ電極Ｙｎ及びアドレス電極Ａの電圧波形を示す図である。低温時は、例えば０度であり、図１４（Ａ）の電圧を生成する。この電圧は、図１３（Ａ）の電圧と同じである。
【００４９】
図１４（Ｃ）は本実施形態によるアドレス期間Ｔａにおける高温時の最終ラインのＹ電極Ｙｎ及びアドレス電極Ａの電圧波形を示す図である。高温時は、例えば５０度であり、図１４（Ｃ）の電圧を生成する。この電圧は、図１３（Ｂ）の電圧と同じである。
【００５０】
図１４（Ｂ）は本実施形態によるアドレス期間Ｔａにおける中温（常温）時の最終ラインのＹ電極Ｙｎ及びアドレス電極Ａの電圧波形を示す図である。中温時は、例えば２５度であり、図１４（Ｂ）の電圧を生成する。非スキャン電圧は−Ｖ２’であり、その他は図１４（Ａ）及び（Ｃ）と同じである。すなわち、図１４（Ａ）〜（Ｃ）は、非スキャン電圧のみが異なり、その他の点は同じである。
【００５１】
非スキャン電圧−Ｖ２’は、０Ｖより低く、−Ｖ２より高い。非スキャン電圧は、検出された温度が高くなるに従って高くなるように連続的に変化するようにしてもよいし、検出された温度が高くなるに従って高くなるように段階的に変化するようにしてもよい。
【００５２】
（第３の実施形態）
図１５（Ａ）は、本発明の第３の実施形態による低温時の１フィールドのＸ電極Ｘ１，Ｘ２、Ｙ電極Ｙ１，Ｙ２及びアドレス電極Ａの電圧波形例を示す図である。以下、上記の図５と異なる点のみを説明する。
【００５３】
アドレス期間Ｔａ１及びＴａ２は、図３のアドレス期間Ｔａに対応する。前半アドレス期間Ｔａ１では、奇数番目のＹ電極Ｙ１，Ｙ３等のアドレス選択を行うために、奇数番目のＹ電極Ｙ１，Ｙ３等に順次スキャンパルスを印加し、偶数番目のＹ電極Ｙ２，Ｙ４等にはスキャンパルスを印加しない。奇数番目のＹ電極Ｙ１，Ｙ３等は、非スキャン電圧が−Ｖ２であり、スキャン電圧が−Ｖ２−Ｖ３である。Ｙ電極Ｙ１の負のスキャンパルスに対応してアドレス電極Ａに正のアドレスパルスが印加されると、Ｙ電極Ｙ１及びアドレス電極Ａ間でアドレス放電が生じる。Ｘ電極Ｘ１が正のサステイン電圧Ｖｓであるので、上記のアドレス放電を種火として、Ｙ電極Ｙ１及びＸ電極Ｘ１間で放電が生じ、Ｙ電極Ｙ１及びＸ電極Ｘ１上に壁電荷が形成される。この際、Ｘ電極Ｘ２は、０Ｖであるので、Ｙ電極Ｙ１及びＸ電極Ｘ２間では放電が生じない。偶数番目のＹ電極Ｙ２，Ｙ４等の電圧は、正のサステイン電圧Ｖｓである。これにより、アドレス電極Ａ上に形成される正電荷が偶数番目のＹ電極Ｙ２，Ｙ４等に放電するのを防止し、後の後半アドレス期間Ｔａ２でのアドレス選択が可能になる。
【００５４】
後半アドレス期間Ｔａ２では、偶数番目のＹ電極Ｙ２，Ｙ４等のアドレス選択を行うために、偶数番目のＹ電極Ｙ２，Ｙ４等に順次スキャンパルスを印加し、奇数番目のＹ電極Ｙ１，Ｙ３等にはスキャンパルスを印加しない。偶数番目のＹ電極Ｙ２，Ｙ４等は、非スキャン電圧が−Ｖ２であり、スキャン電圧が−Ｖ２−Ｖ３である。Ｙ電極Ｙ２の負のスキャンパルスに対応してアドレス電極Ａに正のアドレスパルスが印加されると、Ｙ電極Ｙ２及びアドレス電極Ａ間でアドレス放電が生じる。Ｘ電極Ｘ２が正のサステイン電圧Ｖｓであるので、上記のアドレス放電を種火として、Ｙ電極Ｙ２及びＸ電極Ｘ２間で放電が生じ、Ｙ電極Ｙ２及びＸ電極Ｘ２上に壁電荷が形成される。この際、Ｘ電極Ｘ３は、０Ｖであるので、Ｙ電極Ｙ２及びＸ電極Ｘ３間では放電が生じない。奇数番目のＹ電極Ｙ１，Ｙ３等の電圧は、０Ｖである。奇数番目のＹ電極Ｙ１，Ｙ３等は、既に前半アドレス期間Ｔａ１でアドレス選択が終了しているので、アドレス電極Ａ上の正電荷が奇数番目のＹ電極Ｙ１，Ｙ３等に放電することを防止する必要はなく、奇数番目のＹ電極Ｙ１，Ｙ３等を０Ｖにすることができる。
【００５５】
サステイン期間Ｔｓでは、Ｘ電極及びＹ電極にサステインパルスを印加する。サステインパルスは、正のサステイン電圧Ｖｓ及び負のサステイン電圧−Ｖｓが交互に反転するパルスである。奇数番目のＹ電極Ｙ１，Ｙ３等の電圧は、偶数番目のＹ電極Ｙ２，Ｙ４等の電圧と逆相である。奇数番目のＸ電極Ｘ１，Ｘ３等の電圧は、奇数番目のＹ電極Ｙ１，Ｙ３等の電圧と逆相であり、アドレス選択されたＸ電極Ｘ１及びＹ電極Ｙ１間でサステインパルスが印加される毎に放電を行って発光する。偶数番目のＸ電極Ｘ２，Ｘ４等の電圧は、偶数番目のＹ電極Ｙ２，Ｙ４等の電圧と逆相であり、アドレス選択されたＸ電極Ｘ２及びＹ電極Ｙ２間でサステインパルスが印加される毎に放電を行って発光する。
【００５６】
図１５（Ｂ）は、本実施形態による高温時の１フィールドのＸ電極Ｘ１，Ｘ２、Ｙ電極Ｙ１，Ｙ２及びアドレス電極Ａの電圧波形例を示す図である。以下、上記の図１５（Ａ）と異なる点のみを説明する。アドレス期間Ｔａ１及びＴａ２において、すべてのＹ電極Ｙ１，Ｙ２等の非スキャン電圧が０Ｖである点が異なる。
【００５７】
以上のように、本実施形態は、第１の実施形態と同様に、低温時（図１５（Ａ））の非スキャン電圧は−Ｖ２であり、高温時（図１５（Ｂ））の非スキャン電圧は０Ｖである。温度に応じて、非スキャン電圧は変化する。
【００５８】
前半アドレス期間Ｔａ１では、スキャンパルスを印加しないときの奇数番目のＹ電極Ｙ１，Ｙ３等の電圧は検出された温度に応じて変化し、偶数番目のＹ電極Ｙ２，Ｙ４等の電圧はスキャンパルスを印加しないときの奇数番目のＹ電極Ｙ１，Ｙ３等の電圧（非スキャン電圧）以上になる。例えば、その時の偶数番目のＹ電極Ｙ２，Ｙ４等の電圧は、０Ｖ以上正のサステイン電圧Ｖｓ以下になる。
【００５９】
後半アドレス期間Ｔａ２では、スキャンパルスを印加しないときの偶数番目のＹ電極Ｙ２，Ｙ４等の電圧は検出された温度に応じて変化し、奇数番目のＹ電極Ｙ１，Ｙ３等の電圧はスキャンパルスを印加しないときの偶数番目のＹ電極Ｙ２，Ｙ４等の電圧（非スキャン電圧）以上になる。例えば、その時の奇数番目のＹ電極Ｙ１，Ｙ３等の電圧は、０Ｖになる。
【００６０】
（第４の実施形態）
図１６は、本発明の第４の実施形態によるＹ駆動回路５（図１）の構成例を示す回路図である。このＹ駆動回路は、図６に対応し、図４のＹ電極Ｙ１の電圧を生成する。ただし、図４のアドレス期間Ｔａ１及びＴａ２では、温度に応じて図１７（Ａ）又は（Ｂ）の電圧を生成する。他のＹ電極の電圧を生成する回路も同様の構成を有する。パネル容量Ｃｐは、例えば、Ｘ電極Ｘ１及びＹ電極Ｙ１により構成される。図４において、リセット期間Ｔｒでは、リセットパルスにより表示セルのリセットを行う。Ｙ電極Ｙ１の電圧は、電圧Ｖｓ、Ｖｐ及び−Ｖｎにより生成される。前半アドレス期間Ｔａ１では、奇数番目のＹ電極Ｙ１のアドレス選択が行われる。後半アドレス期間Ｔａ２では、偶数番目のＹ電極Ｙ２のアドレス選択が行われる。アドレス期間Ｔａ１及びＴａ２の詳細は、後に図１７（Ａ）及び（Ｂ）を参照しながら説明する。図４において、サステイン期間Ｔｓでは、Ｙ電極Ｙ１にサステインパルスを印加する。サステインパルスは、正のサステイン電圧Ｖｓ及びグランドＧＮＤにより生成される。このサステインパルスにより、Ｘ電極Ｘ１及びＹ電極Ｙ１間でサステイン放電を行うことができる。
【００６１】
図１７（Ａ）はアドレス期間Ｔａ１及びＴａ２における低温時の図１６の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。
【００６２】
タイミングｔ１の前では、スイッチＳＷ１，ＳＷ３，ＳＷ５，ＳＷ６，ＳＷ７Ａ，ＳＷ７Ｂ，ＳＷ９Ａ，ＳＷ９Ｂ，ＳＷ１０，ＳＷ１１をオフ、スイッチＳＷ２，ＳＷ４，ＳＷ８，ＳＷ１２，ＳＷ１３をオンにする。すると、Ｙ電極Ｙ１は、０Ｖになる。
【００６３】
次に、タイミングｔ１では、スイッチＳＷ２，ＳＷ４，ＳＷ８，ＳＷ１２をオフ、スイッチＳＷ７Ａ，ＳＷ９Ａ，ＳＷ１０をオンにする。すると、Ｙ電極Ｙ１は、非スキャン電圧−Ｖ２Ａになる。非スキャン電圧−Ｖ２Ａは、−Ｖ１Ａ＋Ｖ３Ａで表される。
【００６４】
次に、タイミングｔ２では、スイッチＳＷ１０をオフ、スイッチＳＷ１１をオンにする。すると、Ｙ電極Ｙ１は、スキャン電圧−Ｖ１Ａになる。このスキャンパルスの振幅は、Ｖ１Ａ−Ｖ２Ａ＝Ｖ３Ａである。
【００６５】
次に、タイミングｔ３では、スイッチＳＷ１０をオン、スイッチＳＷ１１をオフにする。すると、Ｙ電極Ｙ１は、非スキャン電圧−Ｖ２Ａになる。
【００６６】
次に、タイミングｔ４では、スイッチＳＷ２，ＳＷ４、ＳＷ８，ＳＷ１２をオン、スイッチＳＷ７Ａ，ＳＷ９Ａ，ＳＷ１０をオフにする。すると、Ｙ電極Ｙ１は、０Ｖになる。
【００６７】
図１７（Ｂ）はアドレス期間Ｔａ１及びＴａ２における高温時の図１６の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。タイミングｔ１の前及びタイミングｔ４以後は、図１７（Ａ）と同じである。以下、タイミングｔ１，ｔ２，ｔ３について説明する。
【００６８】
タイミングｔ１では、スイッチＳＷ２，ＳＷ４，ＳＷ８，ＳＷ１２をオフ、スイッチＳＷ７Ｂ，ＳＷ９Ｂ，ＳＷ１０をオンにする。すると、Ｙ電極Ｙ１は、０Ｖになる。
【００６９】
次に、タイミングｔ２では、スイッチＳＷ１０をオフ、スイッチＳＷ１１をオンにする。すると、Ｙ電極Ｙ１は、電圧−Ｖ１Ｂになる。電圧−Ｖ１Ｂの絶対値は、電圧Ｖ３Ａと同じである。したがって、図１７（Ａ）及び（Ｂ）のスキャンパルスの振幅電圧は同じである。
【００７０】
次に、タイミングｔ３では、スイッチＳＷ１０をオン、スイッチＳＷ１１をオフにする。すると、Ｙ電極Ｙ１は、０Ｖになる。
【００７１】
以上のように、低温時には図１７（Ａ）に示すように非スキャン電圧が−Ｖ２Ａの電圧が生成され、高温時には図１７（Ｂ）に示すように非スキャン電圧が０Ｖの電圧が生成される。低温時も高温時も、スキャンパルスの振幅電圧は同じである。
【００７２】
（第５の実施形態）
図１８は、本発明の第５の実施形態によるＹ駆動回路５（図１）の構成例を示す回路図である。このＹ駆動回路は、図８に対応し、図５のＹ電極Ｙ１の電圧を生成する。ただし、図５のアドレス期間Ｔａ１及びＴａ２では、温度に応じて図１９（Ａ）又は（Ｂ）の電圧を生成する。他のＹ電極の電圧を生成する回路も同様の構成を有する。パネル容量Ｃｐは、例えば、Ｘ電極Ｘ１及びＹ電極Ｙ１により構成される。図５において、リセット期間Ｔｒでは、リセットパルスにより表示セルのリセットを行う。Ｙ電極Ｙ１の電圧は、電圧Ｖｓ、Ｖｐ及び−Ｖｓにより生成される。前半アドレス期間Ｔａ１では、奇数番目のＹ電極Ｙ１のアドレス選択が行われる。後半アドレス期間Ｔａ２では、偶数番目のＹ電極Ｙ２のアドレス選択が行われる。アドレス期間Ｔａ１及びＴａ２の詳細は、後に図１９（Ａ）及び（Ｂ）を参照しながら説明する。図５において、サステイン期間Ｔｓでは、Ｙ電極Ｙ１にサステインパルスを印加する。サステインパルスは、正のサステイン電圧Ｖｓ及び負のサステイン電圧−Ｖｓにより生成される。このサステインパルスにより、Ｘ電極Ｘ１及びＹ電極Ｙ１間でサステイン放電を行うことができる。
【００７３】
サステイン期間Ｔｓでは、交互に正負極性のサステイン電圧Ｖｓ及び−Ｖｓが反転するサステインパルスがＹ電極Ｙ１に供給される。正のサステイン電圧ＶｓをＹ電極Ｙ１に供給するには、スイッチＳＷ１及びＳＷ５をオンにすればよい。この際、スイッチＳＷ９をオンにすれば、コンデンサに電圧Ｖｓが充電される。この後、スイッチＳＷ１，ＳＷ５，ＳＷ９をオフにし、スイッチＳＷ３及びＳＷ６をオンにすれば、Ｙ電極Ｙ１に負のサステイン電圧−Ｖｓを供給することができる。
【００７４】
図１９（Ａ）はアドレス期間Ｔａ１及びＴａ２における低温時の図１８の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。
【００７５】
タイミングｔ１の前では、スイッチＳＷ１，ＳＷ２，ＳＷ３，ＳＷ４，ＳＷ５，ＳＷ７をオフ、スイッチＳＷ６，ＳＷ８，ＳＷ９をオンにする。すると、Ｙ電極Ｙ１は、０Ｖになる。
【００７６】
次に、タイミングｔ１では、スイッチＳＷ４，ＳＷ５をオン、スイッチＳＷ６，ＳＷ８，ＳＷ９をオフにする。すると、Ｙ電極Ｙ１は、非スキャン電圧−Ｖ２になる。
【００７７】
次に、タイミングｔ２では、スイッチＳＷ５をオフ、スイッチＳＷ６をオンにする。すると、Ｙ電極Ｙ１は、スキャン電圧−Ｖ１になる。スキャン電圧−Ｖ１は、−Ｖ２−Ｖｓで表される。このスキャンパルスの振幅は、電圧Ｖｓである。
【００７８】
次に、タイミングｔ３では、スイッチＳＷ５をオン、スイッチＳＷ６をオフにする。すると、Ｙ電極Ｙ１は、非スキャン電圧−Ｖ２になる。
【００７９】
次に、タイミングｔ４では、スイッチＳＷ４，ＳＷ５をオフ、スイッチＳＷ６，ＳＷ８，ＳＷ９をオンにする。すると、Ｙ電極Ｙ１は、０Ｖになる。
【００８０】
図１９（Ｂ）はアドレス期間Ｔａ１及びＴａ２における高温時の図１８の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。タイミングｔ１の前及びタイミングｔ４以後は、図１９（Ａ）と同じである。以下、タイミングｔ１，ｔ２，ｔ３について説明する。
【００８１】
タイミングｔ１では、スイッチＳＷ３，ＳＷ５をオン、スイッチＳＷ６，ＳＷ８，ＳＷ９をオフにする。すると、Ｙ電極Ｙ１は、０Ｖになる。
【００８２】
次に、タイミングｔ２では、スイッチＳＷ５をオフ、スイッチＳＷ６をオンにする。すると、Ｙ電極Ｙ１は、電圧−Ｖｓになる。すなわち、スキャン電圧−Ｖ１は、−Ｖｓになる。このスキャンパルスの振幅は、電圧Ｖｓであり、図１９（Ａ）と同じである。
【００８３】
次に、タイミングｔ３では、スイッチＳＷ５をオン、スイッチＳＷ６をオフにする。すると、Ｙ電極Ｙ１は、０Ｖになる。
【００８４】
以上のように、低温時には図１９（Ａ）に示すように非スキャン電圧が−Ｖ２の電圧が生成され、高温時には図１９（Ｂ）に示すように非スキャン電圧が０Ｖの電圧が生成される。低温時も高温時も、スキャンパルスの振幅電圧は同じである。
【００８５】
（第６の実施形態）
図２０は、本発明の第６の実施形態によるＹ駆動回路５（図１）の構成例を示す回路図である。このＹ駆動回路は、図８に対応し、図５のＹ電極Ｙ１の電圧を生成する。ただし、図５のアドレス期間Ｔａ１及びＴａ２では、図１４（Ａ）〜（Ｃ）と同様に、温度に応じて図２１（Ａ）〜（Ｃ）の電圧を生成する。他のＹ電極の電圧を生成する回路も同様の構成を有する。以下、本実施形態が第５の実施形態と異なる点を説明する。本実施形態では、アドレス期間Ｔａ１及びＴａ２において、低温のときには図２１（Ａ）の電圧を生成し、中温のときには図２１（Ｂ）の電圧を生成し、高温のときには図２１（Ｃ）の電圧を生成する。
【００８６】
図２１（Ａ）はアドレス期間Ｔａ１及びＴａ２における低温時の図２０の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。
【００８７】
タイミングｔ１の前では、スイッチＳＷ１，ＳＷ２，ＳＷ３，ＳＷ４，ＳＷ５，ＳＷ７，ＳＷ１０をオフ、スイッチＳＷ６，ＳＷ８，ＳＷ９をオンにする。すると、Ｙ電極Ｙ１は、０Ｖになる。
【００８８】
次に、タイミングｔ１では、スイッチＳＷ４，ＳＷ５をオン、スイッチＳＷ６，ＳＷ８，ＳＷ９をオフにする。すると、Ｙ電極Ｙ１は、非スキャン電圧−Ｖ２になる。
【００８９】
次に、タイミングｔ２では、スイッチＳＷ５をオフ、スイッチＳＷ６をオンにする。すると、Ｙ電極Ｙ１は、スキャン電圧−Ｖ１になる。スキャン電圧−Ｖ１は、−Ｖ２−Ｖｓで表される。このスキャンパルスの振幅は、電圧Ｖｓである。
【００９０】
次に、タイミングｔ３では、スイッチＳＷ５をオン、スイッチＳＷ６をオフにする。すると、Ｙ電極Ｙ１は、非スキャン電圧−Ｖ２になる。
【００９１】
次に、タイミングｔ４では、スイッチＳＷ４，ＳＷ５をオフ、スイッチＳＷ６，ＳＷ８，ＳＷ９をオンにする。すると、Ｙ電極Ｙ１は、０Ｖになる。
【００９２】
図２１（Ｂ）はアドレス期間Ｔａ１及びＴａ２における中温時の図２０の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。タイミングｔ１の前及びタイミングｔ４以後は、図２１（Ａ）と同じである。以下、タイミングｔ１，ｔ２，ｔ３について説明する。
【００９３】
タイミングｔ１では、スイッチＳＷ５，ＳＷ１０をオン、スイッチＳＷ６，ＳＷ８，ＳＷ９をオフにする。すると、Ｙ電極Ｙ１は、非スキャン電圧−Ｖ２’になる。
【００９４】
次に、タイミングｔ２では、スイッチＳＷ５をオフ、スイッチＳＷ６をオンにする。すると、Ｙ電極Ｙ１は、スキャン電圧−Ｖ１になる。スキャン電圧−Ｖ１は、−Ｖ２’−Ｖｓで表される。このスキャンパルスの振幅は、電圧Ｖ１−Ｖ２’＝Ｖｓであり、図２１（Ａ）と同じである。
【００９５】
次に、タイミングｔ３では、スイッチＳＷ５をオフ、スイッチＳＷ６をオフにする。すると、Ｙ電極Ｙ１は、非スキャン電圧−Ｖ２’になる。
【００９６】
図２１（Ｃ）はアドレス期間Ｔａ１及びＴａ２における高温時の図２０の回路の動作例を示すタイミングチャートである。アドレス電極Ａには、タイミングｔ１〜ｔ４に電圧Ｖ４のアドレスパルスが印加される。以下、Ｙ電極Ｙ１の電圧を例に説明するが、他のＹ電極の電圧も同様である。タイミングｔ１の前及びタイミングｔ４以後は、図２１（Ａ）及び（Ｂ）と同じである。以下、タイミングｔ１，ｔ２，ｔ３について説明する。
【００９７】
タイミングｔ１では、スイッチＳＷ３，ＳＷ５をオン、スイッチＳＷ６，ＳＷ８，ＳＷ９をオフにする。すると、Ｙ電極Ｙ１の非スキャン電圧は、０Ｖになる。
【００９８】
次に、タイミングｔ２では、スイッチＳＷ５をオフ、スイッチＳＷ６をオンにする。すると、Ｙ電極Ｙ１は、電圧−Ｖｓになる。すなわち、スキャン電圧−Ｖ１は、−Ｖｓになる。このスキャンパルスの振幅は、電圧Ｖｓであり、図２１（Ａ）及び（Ｂ）と同じである。
【００９９】
次に、タイミングｔ３では、スイッチＳＷ５をオン、スイッチＳＷ６をオフにする。すると、Ｙ電極Ｙ１の非スキャン電圧は、０Ｖになる。
【０１００】
以上のように、低温時には図２１（Ａ）に示すように非スキャン電圧が−Ｖ２の電圧が生成され、中温時には図２１（Ｂ）に示すように非スキャン電圧が−Ｖ２’の電圧が生成され、高温時には図２１（Ｃ）に示すように非スキャン電圧が０Ｖの電圧が生成される。低温時、中温時及び高温時は、すべてスキャンパルスの振幅電圧が同じである。
【０１０１】
上記の第１〜第６の実施形態によれば、Ｙ駆動回路は、スキャンパルスの振幅を変化させず、アドレス期間Ｔａ１，Ｔａ２内においてスキャンパルスを印加しないときのＹ電極の電圧を検出された温度に応じて変化させる。
【０１０２】
図１１において、最終ラインのＹ電極Ｙｎは、自己にスキャンパルスが印加されるまでの間は、常にアドレス電極Ａとの間で電位差Ｖ４＋Ｖ２が印加されている。このため、特に高温時ではアドレス電極ＡからＹ電極Ｙｎに微小な正電荷移動が起こり、Ｙ電極Ｙｎにスキャンパルスが印加される時にはアドレス電極Ａ及びＹ電極Ｙｎ間の放電に必要なアドレス電極Ａ上の正電荷が減少してしまい、アドレス電極Ａ及びＹ電極Ｙｎ間で放電を起こすことができなくなってしまう。これでは、アドレス選択が行われず、最終ラインは表示されなくなってしまう。
【０１０３】
本実施形態では、高温時には、非スキャン電圧を高くしてＹ電極及びアドレス電極間の電圧を低くする。これにより、アドレス電極Ａ上の正電荷が減少せず、最終ラインのＹ電極Ｙｎにスキャンパルスが印加されたときには、アドレス電極Ａにアドレスパルスが印加されると、Ｙ電極Ｙｎ及びアドレス電極Ａ間で安定したアドレス放電を行い、適正な表示を行うことができる。これに対し、低温時には、放電が起こり難いので、非スキャン電圧及びスキャン電圧を低くし、スキャンパルス印加時のＹ電極及びアドレス電極間の電圧を高くする。これにより、低温時でも、Ｙ電極にスキャンパルスが印加されたときには、アドレス電極にアドレスパルスが印加されると、Ｙ電極及びアドレス電極間で安定したアドレス放電を行い、適正な表示を行うことができる。また、温度にかかわらず、スキャンパルスの振幅電圧を一定にすることにより、Ｙ駆動回路の耐圧を温度にかかわらずに一定にすることができるので、その耐圧を低くすることができる。
【０１０４】
検出された温度に応じてＹ電極の電圧を変化させるので、アドレス期間において温度に影響されずに安定してアドレス電極及びＹ電極間で放電を起こさせることができる。これにより、高温時に、垂直方向のすべての画素を表示する場合に、最下部の画素を安定して表示することができる。
【０１０５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【０１０６】
本発明の実施形態は、例えば以下のように種々の適用が可能である。
【０１０７】
（付記１）
温度を検出する温度検出部と、
アドレス期間内に選択のためのスキャンパルスが印加されるスキャン電極と、
表示セルの発光又は非発光を選択するために前記スキャンパルスに対応してアドレスパルスが印加されるアドレス電極と、
前記検出された温度に応じて前記スキャン電極に電圧を供給するスキャン電極駆動回路とを有し、
前記スキャン電極駆動回路は、前記スキャンパルスの振幅を変化させず、前記アドレス期間内において前記スキャンパルスを印加しないときの前記スキャン電極の電圧を前記検出された温度に応じて変化させるプラズマディスプレイ装置。
（付記２）
前記アドレス期間内において前記スキャンパルスを印加しないときの前記スキャン電極の電圧は、前記検出された温度が所定値よりも高いときには所定値よりも低いときよりも高い付記１記載のプラズマディスプレイ装置。
（付記３）
前記アドレス期間内において前記スキャンパルスを印加しないときの前記スキャン電極の電圧は、前記検出された温度が高くなるに従って高くなるように連続的に変化する付記２記載のプラズマディスプレイ装置。
（付記４）
前記アドレス期間内において前記スキャンパルスを印加しないときの前記スキャン電極の電圧は、前記検出された温度が高くなるに従って高くなるように段階的に変化する付記２記載のプラズマディスプレイ装置。
（付記５）
前記スキャン電極は複数存在し、
前記アドレス期間は、奇数番目のスキャン電極に順次スキャンパルスを印加するための第１のアドレス期間と偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は前記スキャンパルスを印加しないときの前記奇数番目のスキャン電極の電圧以上になり、
前記第２のアドレス期間では、前記スキャンパルスを印加しないときの前記偶数番目のスキャン電極の電圧は前記検出された温度に応じて変化し、前記奇数番目のスキャン電極の電圧は前記スキャンパルスを印加しないときの前記偶数番目のスキャン電極の電圧以上になる付記１記載のプラズマディスプレイ装置。
（付記６）
前記スキャン電極は複数存在し、
さらに、前記複数のスキャン電極に対して交互に配置される複数のＸ電極を有し、
前記スキャン電極は、その両隣のＸ電極との間でサステイン放電が可能である付記１記載のプラズマディスプレイ装置。
（付記７）
前記スキャン電極駆動回路は、前記アドレス期間の後のサステイン期間において交互に正負極性のサステイン電圧が反転するサステインパルスを前記スキャン電極に供給する付記１記載のプラズマディスプレイ装置。
（付記８）
前記アドレス期間内において前記スキャンパルスを印加しないときの前記スキャン電極の電圧は、前記検出された温度が所定値よりも高いときには０Ｖ、所定値よりも低いときには負電圧である付記２記載のプラズマディスプレイ装置。
（付記９）
前記アドレス期間内において前記スキャンパルスを印加しないときの前記スキャン電極の電圧は、−３０Ｖ以上である付記８記載のプラズマディスプレイ装置。
（付記１０）
前記アドレス期間は、奇数番目のスキャン電極に順次スキャンパルスを印加するための第１のアドレス期間とその後に偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は０Ｖ以上前記正のサステイン電圧以下になり、
前記第２のアドレス期間では、前記スキャンパルスを印加しないときの前記偶数番目のスキャン電極の電圧は前記検出された温度に応じて変化し、前記奇数番目のスキャン電極の電圧は０Ｖになる付記７記載のプラズマディスプレイ装置。
（付記１１）
アドレス期間内に選択のためのスキャンパルスが印加されるスキャン電極と、表示セルの発光又は非発光を選択するために前記スキャンパルスに対応してアドレスパルスが印加されるアドレス電極とを有するプラズマディスプレイ装置の駆動方法であって、
温度を検出する温度検出ステップと、
前記スキャンパルスの振幅を変化させず、前記アドレス期間内において前記スキャンパルスを印加しないときの前記スキャン電極の電圧を前記検出された温度に応じて変化させる第１のスキャン電極電圧生成ステップと
を有するプラズマディスプレイ装置の駆動方法。
（付記１２）
前記アドレス期間内において前記スキャンパルスを印加しないときの前記スキャン電極の電圧は、前記検出された温度が所定値よりも高いときには所定値よりも低いときよりも高い付記１１記載のプラズマディスプレイ装置の駆動方法。
（付記１３）
前記アドレス期間内において前記スキャンパルスを印加しないときの前記スキャン電極の電圧は、前記検出された温度が高くなるに従って高くなるように連続的に変化する付記１２記載のプラズマディスプレイ装置の駆動方法。
（付記１４）
前記アドレス期間内において前記スキャンパルスを印加しないときの前記スキャン電極の電圧は、前記検出された温度が高くなるに従って高くなるように段階的に変化する付記１２記載のプラズマディスプレイ装置の駆動方法。
（付記１５）
前記スキャン電極は複数存在し、
前記アドレス期間は、奇数番目のスキャン電極に順次スキャンパルスを印加するための第１のアドレス期間と偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は前記スキャンパルスを印加しないときの前記奇数番目のスキャン電極の電圧以上になり、
前記第２のアドレス期間では、前記スキャンパルスを印加しないときの前記偶数番目のスキャン電極の電圧は前記検出された温度に応じて変化し、前記奇数番目のスキャン電極の電圧は前記スキャンパルスを印加しないときの前記偶数番目のスキャン電極の電圧以上になる付記１１記載のプラズマディスプレイ装置の駆動方法。
（付記１６）
前記スキャン電極は複数存在し、
前記プラズマディスプレイ装置は、さらに、前記複数のスキャン電極に対して交互に配置される複数のＸ電極を有し、
前記スキャン電極は、その両隣のＸ電極との間でサステイン放電が可能である付記１１記載のプラズマディスプレイ装置の駆動方法。
（付記１７）
さらに、前記アドレス期間の後のサステイン期間において交互に正負極性のサステイン電圧が反転するサステインパルスを前記スキャン電極に供給する第２のスキャン電極電圧生成ステップを有する付記１１記載のプラズマディスプレイ装置の駆動方法。
（付記１８）
前記アドレス期間内において前記スキャンパルスを印加しないときの前記スキャン電極の電圧は、前記検出された温度が所定値よりも高いときには０Ｖ、所定値よりも低いときには負電圧である付記１２記載のプラズマディスプレイ装置の駆動方法。
（付記１９）
前記アドレス期間内において前記スキャンパルスを印加しないときの前記スキャン電極の電圧は、−３０Ｖ以上である付記１８記載のプラズマディスプレイ装置の駆動方法。
（付記２０）
前記アドレス期間は、奇数番目のスキャン電極に順次スキャンパルスを印加するための第１のアドレス期間とその後に偶数番目のスキャン電極に順次スキャンパルスを印加するための第２のアドレス期間とを有し、
前記第１のアドレス期間では、前記スキャンパルスを印加しないときの前記奇数番目のスキャン電極の電圧は前記検出された温度に応じて変化し、前記偶数番目のスキャン電極の電圧は０Ｖ以上前記正のサステイン電圧以下になり、
前記第２のアドレス期間では、前記スキャンパルスを印加しないときの前記偶数番目のスキャン電極の電圧は前記検出された温度に応じて変化し、前記奇数番目のスキャン電極の電圧は０Ｖになる付記１７記載のプラズマディスプレイ装置の駆動方法。
【図面の簡単な説明】
【０１０８】
【図１】本発明の第１の実施形態によるプラズマディスプレイ装置の構成例を示す図である。
【図２】第１の実施形態によるプラズマディスプレイパネルの構造例を示す分解斜視図である。
【図３】第１の実施形態による各フィールドの構成例を示す概念図である。
【図４】プラズマディスプレイ装置の１フィールドの動作例を示すタイミングチャートである。
【図５】他のプラズマディスプレイ装置の１フィールドの動作例を示すタイミングチャートである。
【図６】プラズマディスプレイ装置のＹ駆動回路の構成例を示す回路図である。
【図７】アドレス期間におけるＹ電極の電圧の生成方法を説明するためのタイミングチャートである。
【図８】プラズマディスプレイ装置のＹ駆動回路の構成例を示す回路図である。
【図９】アドレス期間におけるＹ電極の電圧の生成方法を説明するためのタイミングチャートである。
【図１０】アドレス期間における先頭ラインのＹ電極及びアドレス電極の電圧波形を示す図である。
【図１１】アドレス期間における最終ラインのＹ電極及びアドレス電極の電圧波形を示す図である。
【図１２】第１実施形態によるアドレス期間における高温時の最終ラインのＹ電極及びアドレス電極の電圧波形を示す図である。
【図１３】図１３（Ａ）は第１の実施形態によるアドレス期間における低温時の最終ラインのＹ電極及びアドレス電極の電圧波形を示す図であり、図１３（Ｂ）はアドレス期間における高温時の最終ラインのＹ電極及びアドレス電極の電圧波形を示す図である。
【図１４】図１４（Ａ）は本発明の第２の実施形態によるアドレス期間における低温時の最終ラインのＹ電極及びアドレス電極の電圧波形を示す図であり、図１４（Ｂ）はアドレス期間における中温時の最終ラインのＹ電極及びアドレス電極の電圧波形を示す図であり、図１４（Ｃ）はアドレス期間における高温時の最終ラインのＹ電極及びアドレス電極の電圧波形を示す図である。
【図１５】図１５（Ａ）は本発明の第３の実施形態による低温時の１フィールドのＸ電極、Ｙ電極及びアドレス電極の電圧波形例を示す図であり、図１５（Ｂ）は高温時の１フィールドのＸ電極、Ｙ電極及びアドレス電極の電圧波形例を示す図である。
【図１６】本発明の第４の実施形態によるＹ駆動回路の構成例を示す回路図である。
【図１７】図１７（Ａ）はアドレス期間における低温時の図１６の回路の動作例を示すタイミングチャートであり、図１７（Ｂ）はアドレス期間における高温時の図１６の回路の動作例を示すタイミングチャートである。
【図１８】本発明の第５の実施形態によるＹ駆動回路の構成例を示す回路図である。
【図１９】図１９（Ａ）はアドレス期間における低温時の図１８の回路の動作例を示すタイミングチャートであり、図１９（Ｂ）はアドレス期間における高温時の図１８の回路の動作例を示すタイミングチャートである。
【図２０】本発明の第６の実施形態によるＹ駆動回路の構成例を示す回路図である。
【図２１】図２１（Ａ）はアドレス期間における低温時の図２０の回路の動作例を示すタイミングチャートであり、図２１（Ｂ）はアドレス期間における中温時の図２０の回路の動作例を示すタイミングチャートであり、図２１（Ｃ）はアドレス期間における高温時の図２０の回路の動作例を示すタイミングチャートである。
【符号の説明】
【０１０９】
１  前面板
２  背面板
３  プラズマディスプレイパネル
４  Ｘ駆動回路
５  Ｙ駆動回路
６  アドレス駆動回路
７  制御回路
１１  Ｘ電極
１２  Ｙ電極
１３、１６  誘電体層
１４  保護層
１５  アドレス電極
１７  隔壁
１８〜２０  蛍光体
２１〜３０  サブフィールド
４０  温度検出部
【図１】
2006276381.tif 000003
【図２】
2006276381.tif 000004
【図３】
2006276381.tif 000005
【図４】
2006276381.tif 000006
【図５】
2006276381.tif 000007
【図６】
2006276381.tif 000008
【図７】
2006276381.tif 000009
【図８】
2006276381.tif 000010
【図９】
2006276381.tif 000011
【図１０】
2006276381.tif 000012
【図１１】
2006276381.tif 000013
【図１２】
2006276381.tif 000014
【図１３】
2006276381.tif 000015
【図１４】
2006276381.tif 000016
【図１５】
2006276381.tif 000017
【図１６】
2006276381.tif 000018
【図１７】
2006276381.tif 000019
【図１８】
2006276381.tif 000020
【図１９】
2006276381.tif 000021
【図２０】
2006276381.tif 000022
【図２１】
2006276381.tif 000023